(57)【要約】【課題】誘導加熱コイルの冷却を阻害することなく、製造コストを抑え、漏洩電磁波の放出量を低減可能な誘導加熱調理器を提供する。【解決手段】誘導加熱調理器１００は、略直方体の函体である本体ケース１０と、本体ケース１０の天面を構成するトッププレート２０とを有し、トッププレート２０の直下には、トッププレート２０に載置された被加熱物を加熱するための誘導加熱コイル３０ａ、３０ｂおよびラジエントヒータ（輻射加熱コイル、図示しない）が配置されている。また、トッププレート２０の裏面の誘導加熱コイル３０ａ、３０ｂの直上に当たる円環状範囲（斜線にて示す）に磁性塗料５１ａ、５１ｂが塗布されている。【選択図】図３
2010010038.tif 000002
【特許請求の範囲】
【請求項１】
非磁性体によって形成された天板と、該天板の直下に配置されたコイルと、を有し、
前記天板の裏面で前記コイルの直上範囲を除く範囲の一部または全部に磁性塗料が塗布されていることを特徴とする誘導加熱調理器。
【請求項２】
前記天板の裏面に沿って流れる空気流が形成され、
前記磁性塗料が、前記空気流と並行になる凹条および凸条を形成するように塗布されていることを特徴とする請求項１記載の誘導加熱調理器。
【請求項３】
非磁性体によって形成された天板と、該天板の直下に配置された誘導加熱コイルと、を有し、
前記天板の裏面で前記誘導加熱コイルの直上範囲を包囲する環状範囲に磁性塗料が塗布されていることを特徴とする誘導加熱調理器。
【請求項４】
前記天板の裏面で前記誘導加熱コイルの直上範囲にも磁性塗料が塗布され、
該直上範囲に塗布された磁性塗料の厚さが、前記直上範囲を除く範囲に塗布された磁性材料の厚さより薄いことを特徴とする請求項１乃至３の何れかに記載の誘導加熱調理器。
【請求項５】
非磁性体によって形成された天板と、該天板の直下に配置された誘導加熱コイルと、を有し、
前記天板の裏面で前記誘導加熱コイルの直上範囲に放射状に磁性塗料が塗布されていることを特徴とする誘導加熱調理器。
【請求項６】
非磁性体によって形成された天板と、該天板の直下に配置された誘導加熱コイルと、該誘導加熱コイルを保持する誘導加熱コイル保持部と、を有し、
前記誘導加熱コイル保持部の周囲に環状に磁性塗料が塗布されていることを特徴とする誘導加熱調理器。
【請求項７】
前記磁性塗料は、熱伝導率の高い物質が混在され、熱伝導率が向上されていることを特徴とする請求項１乃至６の何れかに記載の誘導加熱調理器。
【発明の詳細な説明】
【技術分野】
【０００１】
本発明は誘導加熱調理器、特に、電磁波漏洩を低減する誘導加熱調理器に関するものである。
【背景技術】
【０００２】
誘導加熱調理器は、本体ケースに非磁性体によって形成された天板（トッププレート）が設けられ、天板の直下に誘導加熱コイルが配置され、本体ケース内には、これを駆動する駆動機構（電源装置および制御装置を備える）や駆動機構を冷却するための冷却機構等、を有している。
誘導加熱コイルは大電流の高周波電流を用いるため、僅かではあるが電磁波が周囲に放出される。かかる漏洩電磁波の放出量は人体に影響がないレベルであるものの、商品イメージの点から極力低減することが要請され、これに応える発明が開示されている（例えば、特許文献１参照）。
【０００３】
【特許文献１】特許第３９３７４０４号公報（第６−７頁、図１３）
【発明の開示】
【発明が解決しようとする課題】
【０００４】
しかしながら、前記特許文献１に開示された発明は、誘導加熱コイルの周囲に、アルミニウム等の非磁性体によって形成されたリング（円筒体）を配置して、かかるリングを電磁波シールド部材とするものであるため、以下の問題があった。
（あ）電磁波シールド部材が金属製であるため、電磁波シールド部材自体が発熱する。
（い）誘導加熱コイルが電磁波シールド部材によって包囲されるため、誘導加熱コイルの冷却が阻害されるから、電磁波シールド部材内に熱が籠もり、誘導加熱コイルが高温になる。
（う）部材点数が増すため、製造コストが増すと共に、使用材料の多品種化によってリサイクル性が悪化する。
【０００５】
本発明は、前記問題を解決するためになされたものであり、誘導加熱コイルの冷却を阻害することなく、製造コストを抑え、漏洩電磁波の放出量を低減可能な誘導加熱調理器を提供することを目的とする。
【課題を解決するための手段】
【０００６】
本発明に係る誘導加熱調理器は、非磁性体によって形成された天板と、該天板の直下に配置されたコイルと、を有し、
前記天板の裏面で前記コイルの直上範囲を除く範囲の一部または全部に磁性塗料が塗布されていることを特徴とする。
【発明の効果】
【０００７】
本発明は以上の構成であるから、誘導加熱コイルから放出される漏洩電磁波が磁性塗料によってシールされるため、僅かとはいえ放出される漏洩電磁波が庫外に漏洩しないため、商品イメージが向上する。さらに、特別の電磁波シールド部材を設置する必要がないから、製造コストが抑えられると共に、誘導加熱コイルの冷却が阻害されることがない。
【発明を実施するための最良の形態】
【０００８】
［実施の形態１］
図１〜図３は、本発明の実施の形態１に係る誘導加熱調理器を模式的に説明するものであって、図１は斜視図、図２は側面視の断面図、図３は平面図である。なお、各図は構成を模式的に表しているため、形状や大きさ（相対的な大小関係、縦横比率）は図示する形態に限定するものではない。また、各図における同じ部分または相当する部分には同じ符号を付し、一部の説明を省略する。
【０００９】
図１および図２において、誘導加熱調理器１００は、台所のキッチンテーブルに組み込まれるものであって、略直方体の函体である本体ケース１０と、 本体ケース１０の天面を構成するトッププレート（天板に同じ）２０とを有し、トッププレート２０の直下には、トッププレート２０に載置された被加熱物を加熱するための誘導加熱コイル３０ａ、３０ｂおよびラジエントヒーター（輻射加熱コイル、図示しない）が配置されている。
そして、トッププレート２０の表面には、直下に誘導加熱コイル３０ａ、３０ｂが位置していることを示す鍋載置サークル２１ａ、２１ｂと、直下にラジエントヒーターが位置していることを示す鍋載置サークル２１ｃと、が描かれている。
【００１０】
また、トッププレート２０は略同一面状に天板枠体２２によって取り囲まれている。そして、天板枠体２２の前面寄りの位置には、誘導加熱コイルおよびラジエントヒーターを操作するための電源スイッチや表示パネルを具備する天板操作部２３が設けられ、天板枠体２２の背面寄りの位置には、本体ケース１０内の空気を排出する排気口２４が設けられている。
さらに、本体ケース１０の内部にはグリル加熱室６０が設けられ、グリル加熱室６０を開閉するグリル加熱室扉６１が本体ケース１０の前面１１に設置されている。なお、グリル加熱室６０からの排気も排気口２４から庫外に排気されるものである。
【００１１】
図３において、トッププレート２０の裏面の円環状範囲（斜線にて示す）に磁性塗料５１ａ、５１ｂが塗布されている。なお、平面図である図３において、裏面に塗布された磁性塗料５１ａ、５１ｂを視認することはできない。また、実線にて示す円４０ａ、４０ｂは、トッププレート２０の直下に配置された誘導加熱コイル３０ａ、３０ｂの外径の位置を、説明の便宜上示すものであって、トッププレート２０の裏面に描かれたものではない。
したがって、誘導加熱コイル３０ａ、３０ｂから放出される漏洩電磁波が、円環状範囲に塗布された磁性塗料５１ａ、５１ｂによってシールされるから、僅かとはいえ放出される漏洩電磁波が庫外に漏洩しないため、誘導加熱調理器１００に対する商品イメージが向上する。
【００１２】
さらに、特別の電磁波シールド部材（たとえば、アルミニウム製のリング等）を設置する必要がないから、製造コストが抑えられる。また、本体ケース１０内を流れる空気流は、誘導加熱コイルに到達するから、誘導加熱コイル３０ａ、３０ｂの冷却が阻害されることがない。
なお、本発明は磁性塗料の組成を限定するものではなく、電磁波を遮断する効果あるいは電磁波の透過を抑制する効果を有するものであればよい。通常、磁性塗料には磁性粉、バインダーおよび溶剤の他に、導電性粒子、湿潤剤、潤滑剤および帯電防止剤などが含まれる。磁性粉の代表的なものは、γ−Ｆｅ3Ｏ3、ＣｒＯ2、Ｆｅを主成分とするパウダーメタルである。また、バインダーとしてはウレタン樹脂、ビニル樹脂などが使用される。
さらに、前記磁性塗料に熱伝導率の高い物質が混在され、熱伝導率が向上されたものであってもよい。前記熱伝導率の高い物質としては、たとえば、銀粉末やアルミニウム粉末等が用いられるが、これに限定するものではない。
【００１３】
［実施の形態２］
図４は、本発明の実施の形態２に係る誘導加熱調理器を模式的に説明する平面図である。なお、実施の形態１（図３）と同じ部分にはこれと同じ符号を付し、一部の説明を省略する。
図４において、誘導加熱調理器２００のトッププレート２０の裏面には、円４０ａ、４０ｂ、４０ｃを除く全域（斜線にて示す）に磁性塗料５２が塗布されている。なお、実線にて示す円４０ｃは、トッププレート２０の直下に配置されたラジエントヒーター（図示しない）の外径の位置を、説明の便宜上示すものであって、トッププレート２０の裏面に描かれたものではない。
【００１４】
したがって、誘導加熱コイル３０ａ、３０ｂから放出される漏洩電磁波が、略全域に塗布された磁性塗料５２によってシールされるから、僅かとはいえ放出される漏洩電磁波が庫外に漏洩しないため、誘導加熱調理器１００に対する商品イメージが向上する。
さらに、特別の電磁波シールド部材（たとえば、アルミニウム製のリング等）を設置する必要がないから、製造コストが抑えられる。また、本体ケース１０内を流れる空気流は、誘導加熱コイルに到達するから、誘導加熱コイル３０ａ、３０ｂの冷却が阻害されることがない。
【００１５】
［実施の形態３］
図５は、本発明の実施の形態３に係る誘導加熱調理器を模式的に説明する平面図である。なお、実施の形態２（図４）と同じ部分にはこれと同じ符号を付し、一部の説明を省略する。
図５において、誘導加熱調理器３００のトッププレート２０の裏面には、トッププレート２０の裏面に沿って流れる空気流と並行になる凹条および凸条を形成するように、磁性塗料５３ａ、５３ｂが塗布されている。
すなわち、誘導加熱コイル３０ａ、３０ｂを抱え込むように塗布された磁性塗料５３ａ、５３ｂによって凸条（所定幅の凸部であって、所定の長さを具備する）が形成され、該凸部に挟まれた範囲には、磁性塗料５３ａ、５３ｂが塗布されていない凹条（所定幅の凹部であって、所定の長さを具備する）が形成されている。このとき、トッププレート２０の裏面は凹凸によって表面積が増すから、本体ケース１０の内部を流れる空気流はトッププレート２０の裏面と広い面積において熱交換することになる。なお、磁性塗料の塗布厚さを変更して、厚い範囲によって凸条を、薄い範囲によって凹条を形成するようにしてもよい。
【００１６】
よって、本体ケース１０内に収納された誘導加熱コイル３０ａ、３０ｂや各種装置（制御基板等）を冷却した空気流は、比較的高温になることが多いため、これを早い段階で放熱させることが可能になる。
なお、本発明は、凹条および凸条の形成形態を図示するもの（略Ｕ字状）に限定するものではなく、本体ケース１０の内部に形成される空気流の形態に応じて凹条および凸条の形成形態も変更されるものである。
さらに、円４０ａ、４０ｂの内側に磁性塗料が塗布された場合には、アルミニウムや銅によって製造された鍋に働く浮力を抑えることができる。
【００１７】
［実施の形態４］
図６は、本発明の実施の形態４に係る誘導加熱調理器を模式的に説明する平面図である。なお、実施の形態１（図３）と同じ部分にはこれと同じ符号を付し、一部の説明を省略する。
図６において、誘導加熱調理器４００のトッププレート２０の裏面には、円４０ａ、４０ｂの内側に、放射状に磁性塗料５４ａ、５４ｂが塗布されている。
したがって、アルミニウムや銅によって製造された鍋を使用する場合であっても、当該鍋に働く浮力を抑えることができる。よって、かかる浮力を防止するため、トッププレート２０と誘導加熱コイル３０ａ、３０ｂとの間にアルミニウムの薄板を介在させる必要がなくなるから、製造コストが安価になる。
なお、本発明は円４０ａ、４０ｂの外側に磁性塗料が塗布されることを排除するものではなく、誘導加熱調理器１００、２００、３００（実施の形態１、２、３）において、円４０ａ、４０ｂの内側に磁性塗料５４ａ、５４ｂを塗布してもよい。
【００１８】
［実施の形態５］
図７は、本発明の実施の形態５に係る誘導加熱調理器を模式的に説明するものであって、（ａ）は平面図、（ｂ）は側面視の断面図である。なお、実施の形態１（図３）と同じ部分にはこれと同じ符号を付し、一部の説明を省略する。
図７において、誘導加熱調理器５００のトッププレート２０の裏面には、円４０ａ、４０ｂの内側に磁性塗料５５ａ、５５ｂが塗布され、円４０ａ、４０ｂの外側に磁性塗料５１ａ、５１ｂが円環状に塗布されている。このとき、磁性塗料５５ａ、５５ｂの厚さが、磁性塗料５１ａ、５１ｂの厚さより薄くなっている。
【００１９】
すなわち、誘導加熱調理器１００（実施の形態１）における円４０ａ、４０ｂの内側に磁性塗料５５ａ、５５ｂが塗布したものに同じであるから、誘導加熱調理器１００の作用効果に加え、アルミニウムや銅によって製造された鍋を使用する場合に、当該鍋に働く浮力を抑えることができる。よって、誘導加熱調理器５００に対する商品イメージが向上すると共に、前記浮力を防止するため、トッププレート２０と誘導加熱コイル３０ａ、３０ｂとの間にアルミニウムの薄板を介在させる必要がなくなるから、製造コストが安価になる。
なお、本発明は円４０ａ、４０ｂの外側に塗布される磁性塗料の形態を限定するものではなく、誘導加熱調理器２００、３００（実施の形態１、２、３）において、円４０ａ、４０ｂの内側に磁性塗料５５ａ、５５ｂを塗布してもよい。
【００２０】
［実施の形態６］
図８は、本発明の実施の形態６に係る誘導加熱調理器を模式的に説明する、一部断面の斜視図である。なお、実施の形態１（図２）と同じ部分にはこれと同じ符号を付し、一部の説明を省略する。
図８において、誘導加熱調理器６００の誘導加熱コイル３０ａ、３０ｂが設置されたコイルベース３１ａ、３１ｂの外周面および外周寄り端面に、磁性塗料５６ａおよび５７ａ、５６ｂおよび５７ｂが塗布されている。なお、これらは何れも同様の形態であるから、コイルベース３１ａについて説明し、コイルベース３１ｂについての説明を省略する。
【００２１】
コイルベース３１ａは、内周縁の表裏面に形成された内筒部３３ａおよび外周縁の表裏面に形成された外筒部３５ａを具備する円環部３２ａと、円環部３２ａの半径方向の略中間で表面に形成された中間筒部３４ａとを有している。そして、外筒部３５ａの外側面および上端面に磁性塗料５６ａおよび磁性塗料５７ａが塗布されている。
また、表面の内筒部３３ａと中間筒部３４ａとの間、および中間筒部３４ａと外筒部３５ａとの間に、それぞれ誘導加熱コイル３０ａが設置されている。また、裏面の内筒部３３ａと外筒部３５ａとの間にはフェライト３６ａが設置されている。
【００２２】
したがって、誘導加熱コイル３０ａ、３０ｂから放出される漏洩電磁波が、外筒部３５に塗布された磁性塗料５６によってシールされるから、僅かとはいえ放出される漏洩電磁波が庫外に漏洩しないため、誘導加熱調理器６００に対する商品イメージが向上する。
【産業上の利用可能性】
【００２３】
本発明は、誘導加熱コイルの冷却を阻害することなく、製造コストを抑え、漏洩電磁波の放出量を低減することが可能になるから、事業用および家庭用の各種誘導加熱調理器として広く利用することができる。
【図面の簡単な説明】
【００２４】
【図１】本発明の実施の形態１に係る誘導加熱調理器を模式的に説明する斜視図。
【図２】本発明の実施の形態１に係る誘導加熱調理器を模式的に説明する断面図。
【図３】本発明の実施の形態１に係る誘導加熱調理器を模式的に説明する平面図。
【図４】本発明の実施の形態２に係る誘導加熱調理器を模式的に説明する平面図。
【図５】本発明の実施の形態３に係る誘導加熱調理器を模式的に説明する平面図。
【図６】本発明の実施の形態４に係る誘導加熱調理器を模式的に説明する平面図。
【図７】本発明の実施の形態５に係る誘導加熱調理器を説明する平面図と断面図。
【図８】本発明の実施の形態６に係る誘導加熱調理器を説明する一部断面の斜視図。
【符号の説明】
【００２５】
１０：本体ケース、１１：前面、２０：トッププレート、２１ａ：鍋載置サークル、２１ｂ：鍋載置サークル、２１ｃ：鍋載置サークル、２２：天板枠体、２３：天板操作部、２４：排気口、３０ａ：誘導加熱コイル、３０ｂ：誘導加熱コイル、３１：コイルベース、３２：円環部、３３：内筒部、３４：中間筒部、３５：外筒部、３６：フェライト、４０ａ：円、４０ｂ：円、４０ｃ：円、５１ａ：磁性塗料(実施の形態１）、５１ｂ：磁性塗料(実施の形態１）、５２：磁性塗料(実施の形態２）、５３ａ：磁性塗料(実施の形態３）、５３ｂ：磁性塗料(実施の形態３）、５４ａ：磁性塗料(実施の形態４）、５４ｂ：磁性塗料(実施の形態４）、５５ａ：磁性塗料(実施の形態５）、５５ｂ：磁性塗料(実施の形態５）、５６ａ：磁性塗料(実施の形態６）、５７ａ：磁性塗料(実施の形態６）、６０：グリル加熱室、６１：グリル加熱室扉、１００：誘導加熱調理器(実施の形態１）、２００：誘導加熱調理器(実施の形態２）、３００：誘導加熱調理器(実施の形態３）、４００：誘導加熱調理器(実施の形態４）、５００：誘導加熱調理器(実施の形態５）、６００：誘導加熱調理器(実施の形態６）。
【図１】
2010010038.tif 000003
【図２】
2010010038.tif 000004
【図３】
2010010038.tif 000005
【図４】
2010010038.tif 000006
【図５】
2010010038.tif 000007
【図６】
2010010038.tif 000008
【図７】
2010010038.tif 000009
【図８】
2010010038.tif 000010